(57)【特許請求の範囲】
【請求項１】
油圧ショベル可動腕先端部に取り付けられる表面削取混練機であって、放射状に固着された複数箇の、硬質先端部付き回転腕を備える腕付き回転軸と、該回転軸を略水平に枢支する少なくとも１対の軸受と、該軸受を上下調節可能に支承し、かつ前記腕付き回転軸を一部露出して回転可能に覆うソリ付きカバーケーシングと、該ソリ付きカバーケーシングに外装される腕付き回転軸駆動機構とを備え、前記腕付き回転軸駆動機構が油圧モータとスプロケットおよびローラチェーン並びに該ローラチェーンのテンショナーを備え、かつ該硬質先端部付き回転腕が、その先端部と前記回転軸の中間部に前記回転腕のタンゼンシャル方向に対して傾斜角αで傾斜した傾斜混練板を固着した回転腕であり、前記ソリ付きカバーケーシングが油圧ショベル可動腕先端部の前記腕付き回転軸と直交する旋回軸に対し、オフセット調節可能に取り付けられ、また油圧ショベル可動腕先端部に３６０°回動可能かつ着脱自在に取り付け可能であり、該ソリ付きカバーケーシング内で前記回転腕の硬質先端部で掬い上げた不定形不均質の削取滓を更に前記回転腕中間部に固着された傾斜混練板で掬い上げ、互いに滞空衝突させ混練して微細化、均質化する事を特徴とする表面削取混練機。
【請求項２】
前記硬質先端部が略円錐状であり、その軸方向が前記回転腕のタンゼンシャル方向に対し、０≦β≦６０°の傾斜角βに揃って該回転腕に固着されている請求項１に記載の表面削取混練機。
【請求項３】
前記傾斜混練板の傾斜角αが０≦α≦９０°である請求項1または２に記載の表面削取混練機。
【発明の詳細な説明】
【０００１】
【産業上の利用分野】
本発明は表面削取混練機に関し、より詳しくはアスファルト舗装、コンクリート舗装、合成樹脂舗装、モルタル壁等の表面削取および／もしくは削取滓の均質化のため、バックホー（油圧ショベル）の可動腕先端部にショベルに代えて取り付け可能なアタッチメントであり、かつ各種削取滓の形状均質化に極めて有効で取り扱い容易な表面削取混練機に関する。
【０００２】
【従来の技術と課題】
従来、アスファルト舗装の局所削り取り作業は、主としてヱアブレーカないし油圧ブレーカ等を用いて作業者がこれらを直接把持して行っていたが、これらのブレーカはいずれも先端部にチゼルと呼ばれる硬質金属製の一種のノミを空圧もしくは油圧を利用して往復運動させる機構であるため、騒音が激しく、作業者の肉体的疲労がひどかった。
【０００３】
そこで、鉛直軸回転型円盤状回転刃や固定軸型ドラム状回転刃を用いる削取機が開発され実用に供されている。
【０００４】
しかし、前者はフェンダー（カバー）がない状態で遠心力により水平方向タンゼンシャル方向に破片を飛ばすので破片が人に当る事があって極めて危険であり、後者は低騒音であるものの固定軸であるために、例えばバックホーの運転者が運転席から一時停止した回転刃の刃先の状況を見る事が容易に出来ないという問題点があった。また、固定軸ドラム型回転刃の回転軸が固定軸であると、特に狭角ないし広角隅角部の削り取り作業が極めて困難であった。またオーバーハングで被削取面が覆われている場合、ドラム状回転刃が削取面にアクセスできないと言う問題点があった。
【０００５】
本発明者は先に別発明として、ドラム状回転刃の回転軸を該軸と直角方向の旋回軸を軸心にして３６０°回動可能とする事ならびにドラム状回転刃を旋回軸に対してオフセット可能とする事により、前記課題を一挙に解決し得る事を見い出して、バックホー先端部に着脱自在な表面削取機の発明を完成した。すなわちオーバーハングで被削取面が覆われている場合であっても、ドラム状回転刃が被削取面に容易にアクセス出来る事となった。
【０００６】
前記発明は、アスファルト表面削取機として有効であり、多数が製造販売され、使用されている。
【０００７】
一方で、表面削取後の削取滓（径約１０ｃｍ〜１５ｃｍ級以下のその他の各種素材滓を含む）は一般に形状が不定形の破片であり、サイズも区区であってこれをそのまま骨材として再使用困難である。この場合の骨材はコンクリートまたはアスファルト、合成樹脂用骨材に限らず、基礎材として圧し固める素材として用いられる場合が当然含まれる。いずれにしてもこのような削取滓を再利用可能な素材とするためには破片形状を丸め、サイズの均一化を図る必要がある。
【０００８】
そこで本発明者は表面削取を従とし、或いは別の表面削取機で生じた削取滓を掬い上げ、主として混練する機能に優れた表面削取混練機を発明する必要に迫られた。
【０００９】
本発明者は、上記根拠に基づき、ドラム状回転刃を廃して、より長い回転腕を備える回転軸を上下調節可能に支承するソリ付きカバーケーシングで覆い、腕の硬質先端部で掬い上げた不均質の削取滓をカバーケーシング内で互いに滞空衝突させ、混練して微細化、均質化する事が出来る事に着目し、鋭意研究の結果、本発明を完成するに至った。
【００１０】
【発明の目的】
本発明の目的は、削取滓或いは粗く不均質なその他各種の粗滓（削取以外のプロセスで生じたもの）を例えばバックホー取付の可動装置で手軽にかつ低騒音で掬い上げて混練し、破片形状を整え、均質化し、再堆積、再敷均する事である。
【００１１】
本発明の他の目的は、格別の固定装置を用意する事なく、小規模のアスファルト舗装、コンクリート舗装等の削り取り現場で削取滓の混練を行い得るバックホー取付け用の表面削取混練機を提供するにある。
【００１２】
本発明の更に他の目的は、削取（掬上）深さ調節が容易であり、かつ狭い場所でも隅々まで作業出来る表面削取混練機を提供するにある。
【００１３】
【発明の構成】
本発明により、
油圧ショベル可動腕先端部に取り付けられる表面削取混練機であって、放射状に固着された複数箇の、硬質先端部付き回転腕を備える腕付き回転軸と、該回転軸を略水平に枢支する少なくとも１対の軸受と、該軸受を上下調節可能に支承し、かつ前記腕付き回転軸を一部露出して回転可能に覆うソリ付きカバーケーシングと、該ソリ付きカバーケーシングに外装される腕付き回転軸駆動機構とを備え、前記腕付き回転軸駆動機構が油圧モータとスプロケットおよびローラチェーン並びに該ローラチェーンのテンショナーを備え、かつ該硬質先端部付き回転腕が、その先端部と前記回転軸の中間部に前記回転腕のタンゼンシャル方向に対して傾斜角αで傾斜した傾斜混練板を固着した回転腕であり、前記ソリ付きカバーケーシングが油圧ショベル可動腕先端部の前記腕付き回転軸と直交する旋回軸に対し、オフセット調節可能に取り付けられ、また油圧ショベル可動腕先端部に３６０°回動可能かつ着脱自在に取り付け可能であり、該ソリ付きカバーケーシング内で前記回転腕の硬質先端部で掬い上げた不定形不均質の削取滓を更に前記回転腕中間部に固着された傾斜混練板で掬い上げ、互いに滞空衝突させ混練して微細化、均質化する事を特徴とする表面削取混練機（請求項１）、
前記硬質先端部が略円錐状であり、その軸方向が前記回転腕のタンゼンシャル方向に対し、０≦β≦６０°の傾斜角βに揃って該回転腕に固着されている請求項１に記載の表面削取混練機（請求項２）
および
前記傾斜混練板の傾斜角αが０≦α≦９０°である請求項1または２に記載の表面削取混練機（請求項３）
が提供される。
【００１４】
以下に実施例を用いて本発明を詳細に説明する。
【００１５】
【実施例】
図１は実施例を斜め下から見た斜視図、図２は実施例の右側面図、図３は実施例の左側面図、図４は実施例の背面図、図５は実施例の一部平面図、図６は硬質先端部付き回転腕の一部側面図、図７は実施例の作用を示す右側面一部断面図である。
【００１６】
図１，２，３，４，５，６，７において、
１は実施例、２は腕付き回転軸、２Ａは硬質先端部、２Ｂは回転腕、２Ｃは取付けナット、２Ｄは腕取付ブラケット、２Ｋは傾斜混練板、３はカバーケーシング、５はソリ、７はチェーンケース、７Ａは駆動スプロケット、７Ｂは被駆動スプロケット、７Ｃはローラーチェーン、７Ｓはスプリング、７Ｔはテンショナ、Ｍは油圧モータ、８は全体取付ブラケット、９は圧油ホース、１０は軸受、１２，１２Ａは鉛直方向長孔、１２Ｂは水平方向長孔、１３は取付ボルトナット、１５は雌ねじ筒、１５Ａは雌ねじ筒取付ブラケット、１５Ｂは取付ボルト、１６は回転軸位置表示板、１７は指示針、１８はスプロケット取付ナット、１９はスプロケット、１９Ａはローラチェーン、２０はねじ軸、２１は道具箱、２２はガイド、２３は上下摺動カバー、３０は粗削取滓、３５は中間滓、４０は仕上がり滓、１００は基礎層である。
【００１７】
先ず、図１，２，３，４，５，６において、
実施例は油圧ショベル先端部にブラケット８を介して前後傾動並びに水平旋回可能に取り付けられている。左右回動は、油圧ショベルの腕自体が、クローラ付き台車のほぼ中心を軸として行われる。実施例である表面削取混練機は図示しない略鉛直旋回軸から、その中心は図５のように水平方向に延びる長孔１２Ｂ，１２Ｂ…に沿って移動調節可能であり、通常は左、右に最大約３００ｍｍ程度オフセット配置が可能となっている。このようにすれば油圧ショベルの腕や、表面削取混練機自体が地上建造物と干渉して近づけない場所にも、作用部をアクセスさせる事が出来る。
【００１８】
また腕付き回転軸２は図１および図６のように先端部に硬質先端部タンゼンシャル方向に対し０°≦β≦６０°の角度βで固着された比較的長い半径の腕を備えている。各腕は交換容易とするため、回転軸２に溶接された取付ブラケットにボルトナットで固着されている。単なる削取機と異なる処はこのように回転腕が長い腕長を持つ処にあり、本発明の腕付き回転軸２は従来の削取機のようなドラム周面に多数の短い刃を持つドラム状回転刃ではない。
【００１９】
つまり、硬質先端部は、本発明では一旦削り取られた不定形削取滓の堆積物（図７参照）を掬い上げる機能を主としており、専ぱらコンクリート舗装のような硬質のソリッド部材を削り取る事を主目的にしていない。しかし、実際作業では不定形削取滓を破壊し掬い上げる場合であっても先端部の摩耗は激しい場合があるので、Ｈａｔｆｉｅｌｄ鋼や高速度鋼または各種硬質セラミックや一部に工業用ダイヤモンドを付けた硬質部材を用いる。硬質先端部の形状は基本的には円錐状であるが、角錐ないし、鋭い楔状であっても良い事は言うまでもない。
【００２０】
なお、回転腕２Ｂの中間部には、掬い上げた不定形削取滓３０ないしややこれを砕いた中間滓３５のカバーケーシング３内における滞空時間を少しでも長くするため、傾斜混練板を固着する事も出来る。傾斜混練板の場合、回転軸のタンゼンシャル方向に対し、傾斜角αは０≦α≦９０°である事が望ましい。この傾斜角αは上記の範囲で、調節可能とする事も出来るが、そのサイズは有効面積が硬質先端部錐体直径の０．５〜３倍位が望ましい。
【００２１】
回転軸の１対の軸受１０，１０は図１〜３に示されるようにカバーケーシング３の両側に穿設された鉛直方向長孔１２Ａ，１２Ａ内で上下調節可能に固定される。
【００２２】
本実施例ではこの上下調節は図１、図２および図４に示されるようにカバーケーシング３上部の本体取付ブラケット８に連なるフレーム８Ａ両肩に枢着されたねじ軸２０と、これに噛合する雌ねじ筒１５とこれにブラケット１５Ａを介して固着された軸受１０，１０を片側４箇の鉛直方向長孔１２，１２，１２，１２に沿い、かっガイド２２，２２に嵌入された上下摺動カバー２３を、ねじ軸２０を左右両側同時にいづれか片方１箇所のねじ軸頭上のボルトもしくはナットをボックスレンチを用いて回動し、上下摺動調節する事が出来る。
【００２３】
なお、フレーム８Ａ上部に水平にループする両側ねじ軸を連結するローラチェン１９Ａの一部を電動モータないし油圧モータで駆動して、これを油圧ショベル運転室よりリモートコントロールするようにする事も出来る。その場合、結果的に腕付き回転軸先端部のソリ下露出ストロークを調節する事になるので、これを遠くから確認するために表示板１６と指示針１７をセットしている。
【００２４】
回転軸の駆動はフレーム８Ａ片側上部の油圧モータＭで行う事が出来る。そして油圧モータＭと回転軸２の各スプロケット間にはローラチェンもしくは多連サイレントチェンが張られており、スプリング７Ｓで拡張されるテンショナ７Ｔで、その張力はストローク内で軸受１０，１０の位置に拘らず、ほぼ一定に制御されるようになっている。
【００２５】
【発明の作用及び効果】
図７において、硬質先端部付き回転軸２はカバーケーシング３の中で、反時計方向に回転駆動されるので、不定形の削取滓３０（前述のように削取滓でなく不定形のコークス、石炭、その他鉱物滓、コンクリート滓等であってもよい。）を掬い上げ、腕中間部の傾斜混練板の作用により、掬い上げた中間滓３５のカバーケーシング内における滞空時間延長効果によってセグメント粒子相互間の衝突、摩擦の機会を多くし、整粒し、かつ小粒化された仕上がり滓４０として、美麗な層を形成する事が出来る。すなわち、本発明実施例により、前記目的のすべてが達成される。
【００２６】
換言すれば
▲１▼削取滓或いは粗く不均質なその他各種の粗滓（削取以外のプロセスで生じたもの）を例えばバックホー取付の可動装置で手軽にかつ低騒音で掬い上げて混練し、破片形状を整え、均質化し、再堆積、再敷均する事が出来る。
【００２７】
▲２▼格別の固定装置を用意する事なく、小規模のアスファルト舗装、コンクリート舗装等の削り取り現場で削取滓の混練を行い得るバックホー取付け用の表面削取混練機を提供する事が出来る。
【００２８】
▲３▼削取（掬上）深さ調節が容易であり、かつ狭い場所でも隅々まで作業出来る表面削取混練機を提供する事が出来る。
【図面の簡単な説明】
【図１】  実施例を斜め下から見た斜視図。
【図２】  実施例の右側面図。
【図３】  実施例の左側面図。
【図４】  実施例の背面図。
【図５】  実施例の一部平面図。
【図６】  硬質先端部付き回転腕の一部側面図。
【図７】  実施例の作用を示す右側面図。
【符号の説明】
１            実施例
２            腕付き回転軸
２Ａ          硬質先端部
２Ｂ          回転腕
２Ｃ          取付けナット
２Ｄ          腕取付ブラケット
２Ｋ          傾斜混練板
３            カバーケーシング
５            ソリ
７            チェーンケース
７Ａ          駆動スプロケット
７Ｂ          被駆動スプロケット
７Ｃ          ローラーチェーン
７Ｓ          スプリング
７Ｔ          テンショナ
Ｍ            油圧モータ
８            全体取付ブラケット
９            圧油ホース
１０          軸受
１２，１２Ａ  鉛直方向長孔
１２Ｂ 水平方向長孔
１３          取付ボルトナット
１５          雌ねじ筒
１５Ａ        雌ねじ筒取付ブラケット
１５Ｂ        取付ボルト
１６          回転軸位置表示板
１７          指示針
１８          スプロケット取付ナット
１９          スプロケット
１９Ａ        ローラチェーン
２０          ねじ軸
２１          道具箱
２２          ガイド
２３          上下摺動カバー
３０          粗削取滓
３５          中間滓
４０          仕上がり滓
１００        基礎層
【図１】
0003718385.tif 000002
【図２】
0003718385.tif 000003
【図３】
0003718385.tif 000004
【図４】
0003718385.tif 000005
【図５】
0003718385.tif 000006
【図６】
0003718385.tif 000007
【図７】
0003718385.tif 000008